(57)【要約】【課題】  回転圧縮機において、圧力調節装置の動作により吐出圧力を設定圧力未満に維持することによって吐出圧力の過度な上昇による圧縮機の動作中断を防ぐ。【解決手段】  密閉容器と、該密閉容器内に設置され、この密閉容器の内部と連通する吐出口及び前記密閉容器内に外部ガスを吸入するための吸入口を有する圧縮装置と、前記密閉容器の吐出側と前記吸入口とが連結するように形成される圧力調節流路と、普段は前記圧力調節流路を閉じ、吐出側の圧力が設定圧力以上であるときに前記圧力調節流路を開く圧力調節バルブと、を備える回転圧縮機を提供する。【選択図】  図１
2006214431.tif 000002
【特許請求の範囲】
【請求項１】
密閉容器と、該密閉容器内に設置され、この密閉容器の内部と連通する吐出口及び前記密閉容器内に外部ガスを吸入するための吸入口を有する圧縮装置と、を備える回転圧縮機であって、
前記密閉容器の吐出側と前記吸入口とが連結するように形成される圧力調節流路と、
普段は前記圧力調節流路を閉じ、吐出側の圧力が設定圧力以上であるときに前記圧力調節流路を開く圧力調節バルブと、
を備えることを特徴とする回転圧縮機。
【請求項２】
前記圧縮装置は、前記吸入口及び吐出口と連通する圧縮室が内部に形成されたハウジングを備え、
前記圧力調節流路は、前記密閉容器の内部と前記吸入口とが連通するように前記ハウジングに形成されることを特徴とする請求項１に記載の回転圧縮機。
【請求項３】
前記圧力調節バルブは、前記圧力調節流路内に設置され、前記吐出側から前記吸入口側にのみガスが流れるようにするチェックバルブであることを特徴とする請求項２に記載の回転圧縮機。
【請求項４】
前記圧力調節バルブは、
前記圧力調節流路内に圧入設置され、内部にステップ状の流路が形成されたバルブボディーと、
前記バルブボディー内の流路を開閉するために前記バルブボディー内に進退可能に設置される開閉部材と、
前記開閉部材を付勢して流路を閉じるように前記バルブボディー内に設置されるスプリングと、
を備えることを特徴とする請求項２に記載の回転圧縮機。
【請求項５】
前記開閉部材は、前記流路を開閉する球形の開閉ボールと、前記開閉ボールと前記スプリングとの間に介在されて前記開閉ボールを加圧する加圧部材と、を備えることを特徴とする請求項４に記載の回転圧縮機。
【発明の詳細な説明】
【技術分野】
【０００１】
本発明は、回転圧縮機に係り、より詳細には、吐出圧力の上昇による過負荷を防止しうる回転圧縮機に関する。
【背景技術】
【０００２】
特許文献１に開示された回転圧縮機は、吐出圧力が過度に上昇して圧縮機が過熱される場合、入力電源を遮断して機器を保護するための過負荷感知装置を備えている。
【０００３】
この回転圧縮機は、普段は２０kg/cm2程度の吐出圧力を維持するが、外気の温度が上昇すると吐出圧力が２６〜３２kg/cm2まで上昇することもある。このように圧力が高く上昇して過熱されると、過負荷感知装置により電源が遮断され動作が止まる。
【０００４】
しかしながら、上記の回転圧縮機は、吐出圧力の上昇により過熱されると過負荷感知装置により電源が遮断されながら動作が止まり、このため、その回転圧縮機を採用する冷暖房空気調和システムの動作も止まることになる。
【０００５】
すなわち、当該の回転圧縮機を採用する冷暖房空気調和システムは、過負荷で圧縮機の動作が中断すると、過熱された圧縮機の温度が下降するまで動作が中断するため、しばらくの間、冷暖房機能を発揮できないという問題点があった。
【特許文献１】韓国登録実用新案公報第136112号(公告日：1999年3月20日)
【発明の開示】
【発明が解決しようとする課題】
【０００６】
本発明は、上記の問題点を解決するためのもので、その目的は、吐出圧力が設定圧力未満に維持されるようにして過負荷による動作停止を防止しうる回転圧縮機を提供することにある。
【課題を解決するための手段】
【０００７】
上記の目的を達成するために、本発明による回転圧縮機は、密閉容器と、該密閉容器内に設置され、この密閉容器の内部と連通する吐出口及び前記密閉容器内に外部ガスを吸入するための吸入口を有する圧縮装置と、を備える回転圧縮機であって、前記密閉容器の吐出側と前記吸入口とが連結するように形成される圧力調節流路と、普段は前記圧力調節流路を閉じ、吐出側の圧力が設定圧力以上であるときに前記圧力調節流路を開く圧力調節バルブと、を備えることを特徴とする。
【０００８】
また、前記圧縮装置は、前記吸入口及び吐出口と連通する圧縮室が内部に形成されたハウジングを備え、前記圧力調節流路は、前記密閉容器の内部と前記吸入口とが連通するように前記ハウジングに形成されることを特徴とする。
【０００９】
また、前記圧力調節バルブは、前記圧力調節流路内に設置され、前記吐出側から前記吸入口側にのみガスが流れるようにするチェックバルブであることを特徴とする。
【００１０】
前記圧力調節バルブは、前記圧力調節流路内に圧入設置され、内部にステップ状の流路が形成されたバルブボディーと、前記バルブボディー内の流路を開閉するために前記バルブボディー内に進退可能に設置される開閉部材と、前記開閉部材を付勢して流路を閉じるように前記バルブボディー内に設置されるスプリングと、を備えることを特徴とする。
【００１１】
また、前記開閉部材は、前記流路を開閉する球形の開閉ボールと、前記開閉ボールと前記スプリングとの間に介在されて前記開閉ボールを加圧する加圧部材と、を備えることを特徴とする。
【発明の効果】
【００１２】
本発明の回転圧縮機によれば、圧力調節装置の動作により吐出圧力が設定圧力未満に維持されるため、吐出圧力の過度な上昇による圧縮機の動作中断を防ぐことが可能になる。
【発明を実施するための最良の形態】
【００１３】
以下、本発明に係る回転圧縮機の好適な実施形態について、添付の図面に基づいて詳細に説明する。
【００１４】
図１は、本発明による回転圧縮機の内部構造を示す縦断面図である。同図において、回転圧縮機は、密閉容器１０と、密閉容器１０の内側上部に設置され、回転力を発生させる電動装置２０と、密閉容器１０の内側下部に設置され、電動装置２０と回転軸２１を介して連結される圧縮装置３０と、を備える。
【００１５】
電動装置２０は、密閉容器１０の内面に固定される円筒形の固定子２２と、この固定子２２の内部に回転自在に設置され、その中心部が回転軸２１に結合される回転子２３と、を備える。
【００１６】
圧縮装置３０は、図１及び図２に示すように、中央に円筒形の圧縮室３１が形成されたシリンダーボディー３２と、このシリンダーボディー３２の上部と下部を覆うようにシリンダーボディー３２の上面と下面にそれぞれ結合される上部フランジ３３及び下部フランジ３４と、を含むハウジングを有する。上部フランジ３３及び下部フランジ３４にはそれぞれ、回転軸２１を支持できるように上部軸支持部３５及び下部軸支持部３６が設けられる。そして、上部フランジ３３、シリンダーボディー３２及び下部フランジ３４は、これらを上下に貫通する複数の固定ボルト３７にて強固に相互結合される。
【００１７】
また、圧縮装置３０は、圧縮室３１内部の回転軸２１に対して偏心回転するように配置される偏心部３８と、偏心部３８の外面に回転自在に設置され、その外面が圧縮室３１の内面と接しながら回転するリングピストン３９と、リングピストン３９の回転によって半径方向に進退しながら圧縮室３１の内部空間を区画するようにシリンダーボディー３２の一側に進退可能に設置されるベーン４０と、このベーン４０をリングピストン３９側に付勢するベーンスプリング４１と、を備える。
【００１８】
ベーン４０と隣接する両側には、圧縮室３１内部に冷媒が流入する吸入口４２と、圧縮された冷媒が吐出される吐出口４３がそれぞれ形成され、吸入口４２には、一般の冷却装置の蒸発器側の低圧冷媒が吸入口４２に流入しうるように冷媒吸入管１１が連結される。
【００１９】
このように構成される回転圧縮機は、電動装置２０の動作により圧縮室３１内部の偏心部３８が回転すると、リングピストン３９が圧縮室３１内で偏心回転しつつ吸入口４２側の冷媒を圧縮室３１内部に吸入し、吐出口４３側に加圧吐出させることによって冷媒の圧縮を行う。図１において、参照符号１２は、冷媒吸入管１１の途中に設置されるアキュムレータであり、１３は、吐出口４３を開閉する吐出バルブであり、１４は、密閉容器１０内の圧縮冷媒を外部へ案内するための吐出配管である。
【００２０】
また、本発明は、電動装置２０への電源供給のために密閉容器１０の上部に設置される電源連結端子５１と、過電流や過負荷運転から圧縮機を保護するために密閉容器１０の上部に設置される過負荷防止装置５２と、をさらに備える。また、圧縮機の動作中に、過負荷防止装置５２の動作により圧縮機の動作が中断する現象を防止するために、吐出圧力が設定された圧力以上に上昇しないように内部圧力を調節する圧力調節手段が提供される。
【００２１】
過負荷防止装置５２は、起動時に発生する過電流を感知したり、圧縮機の吐出圧力上昇などから過熱が生じたりするときに温度を感知し、設定値以上に温度が上昇する場合、電源供給を遮断して圧縮機を保護し、一定時間が経過すると電源供給を再開させる機能を担う。このような過負荷防止装置５２は、後述する圧力調節手段の動作に異常が生じたり、圧力調節装置の動作にもかかわらず圧縮機に過負荷が生じる場合、電源供給を遮断することによって圧縮機を保護する。
【００２２】
圧力調節手段は、吸入口４２と隣接する位置において圧縮装置３０のシリンダーボディー３２と上部フランジ３３を貫通して設けられる。この圧力調節手段は、密閉容器１０内のガス(吐出ガス)が吸入口４２側に流れるように、上部フランジ３３とシリンダーボディー３２を貫通して形成される圧力調節流路５５と、圧力調節流路５５の開閉のために圧力調節流路５５に設置される圧力調節装置６０と、を含む。
【００２３】
圧力調節装置６０は、吐出側から吸入口４２側にのみガスが流れるようにし、また、普段は圧力調節流路５５を閉じ、吐出側の圧力が設定圧力以上である時に圧力調節流路５５を開くチェックバルブである。このような圧力調節バルブ６０は、図３に示すように、圧力調節流路５５内に圧入設置され、内部にステップ状の流路が形成されたバルブボディー６１、バルブボディー６１内の流路を開閉するようにバルブボディー６１内に進退可能に設置される開閉部材６２、及び開閉部材６２を付勢して普段は流路を閉じるようにバルブボディー６１内に設置されるスプリング６３を備える。
【００２４】
また、開閉部材６２は、流路を開閉する球形の開閉ボール６２ａと、この開閉ボール６２ａとスプリング６３との間に介在されて開閉ボール６２ａを加圧する加圧部材６２ｂと、を含む。ここで、スプリング６３は、普段は開閉ボール６２ａが吸入口４２側から上方へ移動してバルブボディー６１内部の流路を閉じるように加圧する。そして、加圧部材６２ｂは、図５に示すように、バルブボディー６１内面との間にガス流動経路が形成されるように両側に平面部６２ｃを有する。
【００２５】
このように構成される圧力調節バルブ６０は、圧縮装置３０の動作により密閉容器１０内部の吐出圧力が設定圧力未満となる場合、図３に示すように、開閉ボール６２ａがバルブボディー６１内部の流路を閉じた状態を維持する。すなわち、吐出圧力が設定圧力未満の場合には、開閉ボール６２ａがスプリング６３の付勢力により押されて流路を閉じる。圧力調節バルブ６０の開放条件である吐出側の設定圧力は、スプリング６３の弾性力により決定される。
【００２６】
密閉容器１０の内部の吐出圧力が設定圧力以上の場合(吐出圧力がスプリングの弾性力より大きい場合)には、図４に示すように、吐出圧力により開閉ボール６２ａが押下されながら圧力調節流路５５が開き、吐出側のガスが吸入口４２側に流れる。したがって、密閉容器１０内部の吐出圧力は常に設定圧力未満に維持される。
【００２７】
圧力調節バルブ６０の開放条件となる吐出側の設定圧力は、過負荷防止装置５２が動作する条件よりも低い範囲の圧力に設定されることによって、過負荷防止装置５２が動作する前に圧力調節バルブ６０が開くようにする。これは、過負荷防止装置５２により過負荷が感知される前に圧力調節バルブ６０が開くようにして吐出圧力の過度な上昇を防止することによって、過負荷による圧縮機の動作中断を防止するためのものである。すなわち、圧力の過度な上昇による圧縮機の動作中断を防げるようにしたものである。
【図面の簡単な説明】
【００２８】
【図１】本発明による回転圧縮機の内部構成を示す断面図である。
【図２】図１のII-II’線に沿った断面図である。
【図３】図１のＡ部の詳細図で、圧力調節バルブが閉じた状態を示す。
【図４】図１のＡ部の詳細図で、圧力調節バルブが開いた状態を示す。
【図５】図３のV-V’線に沿った断面図である。
【符号の説明】
【００２９】
１０  密閉容器
２０  電動装置
２１  回転軸
２２  固定子
２３  回転子
３０  圧縮装置
３１  圧縮室
３２  シリンダーボディー
３３  上部フランジ
３４  下部フランジ
４２  吸入口
４３  吐出口
５２  過負荷防止装置
５５  圧力調節流路
６０  圧力調節バルブ
６１  バルブボディー
６２  開閉部材
６３  スプリング
【図１】
2006214431.tif 000003
【図２】
2006214431.tif 000004
【図３】
2006214431.tif 000005
【図４】
2006214431.tif 000006
【図５】
2006214431.tif 000007